(57)【要約】【課題】プラズマディスプレイパネルを提供する。【解決手段】互いに離隔されて対面するように配置されている第１基板(211)と第２基板(221)とを備える一対の基板と、第１基板と第２基板との間に配置され、第１基板及び第２基板と共にガス放電が発生する放電セル(230)を限定する隔壁(212,222)と、放電セルを取り囲み、隔壁内に上下に離隔されるように配置されている第１放電電極(213)と第２放電電極(223)とを備え、相互作用によってガス放電を引き起こす放電電極と、第１基板側に形成された放電セル内に配置されている第１蛍光体層(214)と第２基板側に形成された放電セル内に配置されている第２蛍光体層(224)とを備える蛍光体層とを備えることを特徴とする。【選択図】図２
2006164984.tif 000002
【特許請求の範囲】
【請求項１】
互いに離隔されて対面するように配置されている第１基板と第２基板とを備える一対の基板と、
前記第１基板と第２基板との間に配置され、前記第１基板及び前記第２基板と共にガス放電が発生する放電セルを限定する隔壁と、
前記放電セルを取り囲み、前記隔壁内に上下に離隔されるように配置されている第１放電電極と第２放電電極とを備え、相互作用によってガス放電を引き起こす放電電極と、
前記第１基板側に形成された放電セル内に配置されている第１蛍光体層と前記第２基板側に形成された放電セル内に配置されている第２蛍光体層とを備える蛍光体層とを備えることを特徴とするプラズマディスプレイパネル。
【請求項２】
前記第１放電電極及び前記第２放電電極は、互いに離隔され、前記一対の基板の端部側の一方向に電気的に連結されていることを特徴とする請求項１に記載のプラズマディスプレイパネル。
【請求項３】
前記放電セルを横切り、前記第１放電電極と前記第２放電電極とが電気的に連結されている方向と交差するように延長されているアドレス電極をさらに備えることを特徴とする請求項２に記載のプラズマディスプレイパネル。
【請求項４】
前記アドレス電極は、前記第２基板に配置されていることを特徴とする請求項３に記載のプラズマディスプレイパネル。
【請求項５】
前記隔壁の内側面は、保護膜で覆われていることを特徴とする請求項１に記載のプラズマディスプレイパネル。
【請求項６】
前記放電セルで、前記第１放電電極と前記第２放電電極とが配置されている隔壁に対応する放電セル部分には、蛍光体層が配置されていないことを特徴とする請求項５に記載のプラズマディスプレイパネル。
【請求項７】
前記第１蛍光体層は、前記第１放電電極と前記第１基板との間の隔壁部分に対応する放電セル内に配置されており、前記第２蛍光体層は、前記第２放電電極と前記第２基板との間の隔壁部分に対応する放電セル内に配置されていることを特徴とする請求項６に記載のプラズマディスプレイパネル。
【発明の詳細な説明】
【技術分野】
【０００１】
本発明は、プラズマディスプレイパネルに係り、さらに詳細には、放電空間の拡大により可視光の発光面積が拡大され、低電圧駆動が可能になって輝度が上昇し発光効率が改善された構造を有するプラズマディスプレイパネルに関する。
【背景技術】
【０００２】
一般的に、プラズマディスプレイパネル（ＰＤＰ）を採用した平板ディスプレイ装置は、大画面を有しつつも、高画質、超薄型、軽量化及び広視野角にすぐれる特性を有しており、製造方法が簡単であって大型化が容易であり、次世代平板ディスプレイ装置として脚光を浴びている。
【０００３】
かかるＰＤＰは、印加される放電電圧により、直流（ＤＣ）型、交流（ＡＣ）型及び混合（Ｈｙｂｒｉｄ）型に分類され、放電構造により、面放電型及び対向放電型に分類され、最近では、ＤＣ型三電極面放電構造を有するＤＣ型ＰＤＰが一般的に採用されるようになりつつある。
【０００４】
図１には、一般的なＤＣ型三電極面放電ＰＤＰ１００が図示されている。図示されているＰＤＰ１００は、大きく見て、前方パネル１１０と後方パネル１２０とを備える。
【０００５】
前方パネル１１０は、前面基板１１１、前面基板１１１の下面に形成されたＹ電極１１２とＸ電極１１３とを備えた維持電極対１１４、前記維持電極対を覆う前方誘電層１１５、及び前記前方誘電層を覆う保護膜１１６を備える。前記Ｙ電極１１２及びＸ電極１１３それぞれは、ＩＴＯなどから形成された透明電極１１２ａ，１１３ａと、高伝導性の金属から形成されたバス電極１１２ｂ，１１３ｂとを備える。
【０００６】
前記後方パネル１２０は、背面基板１２１、前記背面基板１２１の前面に前記維持電極対１１４と交差するように形成されたアドレス電極１２２、前記アドレス電極を覆う後方誘電層１２３、前記後方誘電層１２３上に所定間隔に離隔されるように形成されて放電セル１２５を限定する隔壁１２８、前記放電セル１２５に形成された蛍光体層１２６、及び前記放電セル１２５内にある放電ガス（図示せず）を備える。
【０００７】
かかるＰＤＰ１００は、前方パネル１１０と後方パネル１２０とを別途に製作した後でそれらを結合して形成され、その後、前方パネル１１０と後方パネル１２０とを密封し、排気及び放電ガスの注入工程を経ることによって完成される。
【０００８】
図１に図示されている従来のＤＣ型三電極面放電ＰＤＰ１００においては、蛍光体層１２６で発生した可視光が前面基板１１１の下面に配置されている維持電極対１１２，１１３を覆う誘電層１１５及び保護膜１１６により相当部分吸収され、ほぼ６０％ほどだけ放出されて発光効率が低いという問題点があった。
【０００９】
また、従来のＤＣ型三電極面放電ＰＤＰ１００では、放電ガスの荷電粒子が電界により蛍光体にイオンスパッタリングを起こすことにより、長期間使用すれば、永久的な残像が引き起こされるという問題点があった。
【００１０】
また、従来のＤＣ型三電極面放電ＰＤＰ１００では、アドレス電圧を下げて低電圧駆動を実現するためには、共通電極であるＹ電極１１２とアドレス電極１２２との間の距離を縮める必要があり、その場合、それら電極１１２，１２２間の距離は、隔壁の高さにより限定されるので、隔壁を低くすることによって放電電圧を下げることができるが、その場合、隔壁を低くすれば、蛍光体の塗布面積もまた狭くなるために、パネルの全体輝度が低下してしまうという問題点があった。
【発明の開示】
【発明が解決しようとする課題】
【００１１】
本発明は、以上のような問題点を解決するために案出されたものであり、放電空間の拡大により可視光の発光面積が拡大され、低電圧駆動が可能になって、輝度が上昇し発光効率が改善された構造を有するＰＤＰを提供するところにその目的がある。
【課題を解決するための手段】
【００１２】
前記のような目的及びそれ以外の他の目的を達成するために、本発明のＰＤＰは、互いに離隔されて対面するように配置されている第１基板と第２基板とを備える一対の基板と、前記第１基板と第２基板との間に配置され、前記第１基板及び前記第２基板と共にガス放電が発生する放電セルを限定する隔壁と、前記放電セルを取り囲み、前記隔壁内に上下に離隔されるように配置されている第１放電電極と第２放電電極とを備え、相互作用によってガス放電を引き起こす放電電極と、前記第１基板側に形成された放電セル内に配置されている第１蛍光体層と前記第２基板側に形成された放電セル内に配置されている第２蛍光体層とを備える蛍光体層とを備えることを特徴とする。
【００１３】
ここで、前記第１放電電極及び前記第２放電電極は、互いに離隔され、前記一対の基板の端部側の一方向に電気的に連結されていることが望ましい。
【００１４】
また、前記放電セルを横切り、前記第１放電電極と前記第２放電電極とが電気的に連結されている方向と交差するように延長されているアドレス電極をさらに備えることが望ましい。その場合、前記アドレス電極は、前記第２基板に配置されていることがさらに望ましい。
【００１５】
また、前記隔壁の内側面は、保護膜で覆われていることが望ましい。その場合、前記放電セルで、前記第１放電電極と前記第２放電電極とが配置されている隔壁に対応する放電セル部分には、蛍光体層が配置されておらず、前記第１蛍光体層は、前記第１放電電極と前記第１基板との間の隔壁部分に対応する放電セル内に配置されており、前記第２蛍光体層は、前記第２放電電極と前記第２基板との間の隔壁部分に対応する放電セル内に配置されていることがさらに望ましい。
【発明の効果】
【００１６】
本発明は、維持電極対がＰＤＰの第１パネルに形成され、かつ可視光を発生する蛍光体層が第２パネルに配置されている従来のＰＤＰとは異なり、第１放電電極が第１放電セルを取り囲むように第１隔壁内に配置され、第２放電電極が放電セルの後方部分を取り囲むように第２隔壁内に配置され、併せて蛍光体層が第１パネル側にも配置される構造を採用している。かかる構造的特性により、蛍光体の塗布面積が拡大して可視光の発光面積が拡大され、発生する可視光の量が増大してパネルの輝度が大幅に上昇するだけではなく、可視光が透過するＰＤＰの第１パネルに、電極、誘電層及び保護膜などが配置される必要がなくなり、放電セル内に配置されている蛍光体層から発生する可視光が吸収されることなくに第１基板をすぐに透過できるようになり、透光率が画期的に向上する。
【００１７】
また、本発明では、放電電極が透明性を有する必要がないので、導電性の良好な物質で前記第１放電電極及び第２放電電極を形成でき、大面積の画面を有するパネルで発生する放電電極の電圧降下による画像の不均一の問題が解決されうる。
【００１８】
また、従来のＰＤＰでは、放電が放電セル内の保護膜の後方で発生して広がり、発光効率が低く、放電ガスの荷電粒子が電界により蛍光体にイオンスパッタリングを起こし、長期間使用すれば、永久残像が引き起こされるという問題があったが、本発明では、放電が放電セルを取り囲む側面全体で発生して中央部に集中するので、前記のような問題点を解決できる。
【００１９】
また、本発明では、第１放電電極及び第２放電電極が放電セルを取り囲むようにそれぞれ第１隔壁及び第２隔壁内に配置されているために、放電が放電セルのあらゆる側面で発生して中央に広がるので、放電空間が効率的に使われ、結果的に、放電量が増大してＰＤＰの輝度が上昇する。従って、同一輝度要求量では、消費電力を下げることができるので、全体的に電力消費効率を低減させることができる。
【発明を実施するための最良の形態】
【００２０】
以下、添付された図面を参照して、本発明の望ましい実施形態によるＰＤＰについて詳細に説明する。
【００２１】
図２は、本発明の望ましい実施形態によるＰＤＰを図示する部分断面斜視図であり、図３は、図２のIII−III線に沿って切り取った断面図であり、図４は、本発明の望ましい実施形態によるＰＤＰの第１放電電極、第２放電電極、アドレス電極及び放電セルだけを図示した分離斜視図であり、図５は、本発明の望ましい実施形態によるＰＤＰでの１つの放電セルを図示する断面図である。
【００２２】
図２及び図３を参照すれば、本発明の望ましい実施形態によるＰＤＰ２００は、第１パネル２１０と第２パネル２２０とを備え、前記第１パネル２１０は、透明な第１基板２１１を備え、前記第２パネル２２０は、前記第１基板２１１と所定距離ほど離隔されて対面するように平行に配置される第２基板２２１を備える。
【００２３】
前記第１パネル２１０は、前記第１基板２１１の後方、さらに詳細には、前記第１基板２１１の背面２１１ｂに形成され、前記第１基板２１１と共に放電セル２３０の前方部分の第１放電セル２３１を限定する第１隔壁２１２を備える。前記放電セル２３０は、その前方部分の第１放電セル２３１と、前記放電セル２３０の後方部分であり、後述する第２放電セル２３２とを備え、それら第１放電セル２３１と第２放電セル２３２とが１つの単位放電セル２３０を構成する。また、前記第１パネル２１０は、前記第１放電セル２３１を取り囲むように前記第１隔壁２１２内に配置され、前記第１基板２１１から離隔された第１放電電極２１３、前記第１隔壁２１２の少なくとも一側面２１２ｃを覆っている第１保護膜２１５、及び前記第１隔壁２１２と前記第１基板２１１とが限定する前記第１放電セル２３１Ｒ，２３１Ｇ，２３１Ｂの空間内に相応するように配置されている赤色、緑色、青色発光の第１蛍光体層２１４Ｒ，２１４Ｇ，２１４Ｂを備える。
【００２４】
前記第２パネル２２０は、前記第２基板２２１、前記第２基板２２１の前面上に配置されて前記第１放電電極２１３と交差するように延長したアドレス電極２２６、前記アドレス電極２２６を覆っている誘電層２２７、前記誘電層２２７上に形成されて前記第２基板２２１と共に前記放電セル２３０の後方部分の第２放電セル２３２を限定する第２隔壁２２２、前記第２放電セル２３２を取り囲むように前記第２隔壁２２２内に配置されている第２放電電極２２３、前記第２隔壁２２２の少なくとも一側面２２２ｃを覆っている第２保護膜２２５、及び前記第２隔壁２２２と前記第２基板２２１とが限定する前記第２放電セル２３２Ｒ，２３２Ｇ，２３２Ｂの空間内に相応するように配置されている赤色、緑色、青色発光の第２蛍光体層２２４Ｒ，２２４Ｇ，２２４Ｂを備える。
【００２５】
前記第１パネル２１０と第２パネル２２０は、フリット（図示せず）のような結合部材により結合されて密封され、前記放電セル２３０の内部には、キセノン（Ｘｅ）ガスを含んだネオン（Ｎｅ）、ヘリウム（Ｈｅ）またはアルゴン（Ａｒ）のうちのいずれか一つ、またはそれらのうち二以上の混合ガスからなる放電ガスが充填される。
【００２６】
前記第１基板２１１と第２基板２２１は、一般的にガラスから形成され、望ましくは、透光率の高い物質から形成可能である。前記第１基板の背面２１１ｂのうち、前記第１放電セル２３１を限定する部分には、従来技術の第１基板の背面に設置された維持電極対１１４、前記維持電極対１１４を覆う前方誘電層１１５、前記前方誘電層１１５を覆う保護膜１１６などが設置されない。
【００２７】
また、前記ＰＤＰ２００の輝度向上のために前記第２基板の上面２２１ａ、または前記誘電層２２７の上面２２７ａに反射層（図示せず）が配置されていたり、または前記誘電層２２７に光反射物質を含め、前記蛍光体層２１４，２２４で発生する可視光を効率的に前方に反射させるようにすることもある。
【００２８】
従って、従来のＤＣ型三電極面放電ＰＤＰとは異なり、前記放電セル２３１，２３２の蛍光体層２１４，２２４で発生する可視光が吸収されず、透光率の高い透明な第１基板２１１を透過するようになり、可視光の前方透過率が顕著に上昇しうる。
【００２９】
また、従来のＤＣ型三電極面放電構造のＰＤＰでは、前面基板１１１の背面上に配置される維持電極対１１４が透光性を有さねばならないので、ＩＴＯのような材質からなる電極が使われ、かかるＩＴＯ電極は、一般的にその抵抗が大きくて維持電極の長手方向に電圧降下が起きるので、それを改善するために導電性の金属材質からなり、狭幅を有するバス電極が付設されるなど、複雑な構造が採用されるが、本発明によるＰＤＰ２００では、可視光が透過する第１放電セル２３１に可視光が吸収されうる電極のような構成要素が付加されないので、放電電極２１３，２２３としては、透光率を考慮せずに、導電性の高い材料を選択することが可能である。それら放電電極２１３，２２３は、導電性の良好なＡｇ、Ｃｕ、Ｃｒのような材料でもって形成することが望ましい。
【００３０】
図４を参照して、前記第１放電電極２１３、第２放電電極２２３及びアドレス電極２２６の配置構造を説明すれば、前記第１放電電極２１３と第２放電電極２２３は、ｘ軸の方向に沿ってはしご状に互いに平行に延長されており、前記第１放電電極２１３及び第２放電電極２２３と交差するｙ軸の方向に沿ってアドレス電極２２６が延長されている。図４で、二点鎖線で直六面体の形状に図示されている要素は、単位放電セル２３０を表す。図示されているように、前記第２放電電極２２３とアドレス電極２２６との間の距離が狭いので、放電セルを選択するためのアドレス放電は前記第２放電電極２２３とアドレス電極２２６との間に起こることが望ましく、その場合、前記第２放電電極２２３は、共通及び維持電極として、前記第１放電電極２１３は、走査及び維持電極として作用することが望ましいが、それに限定されるものではない。
【００３１】
前記第１隔壁２１２は、前記第１基板２１１と共に前記第１放電セル２３１を限定するように形成される。図２には、前記第１隔壁２１２が前記第１放電セル２３１をマトリックス状に区画すると図示されているが、本発明はこれに限定されるものではなく、蜂の巣状、デルタ状のような多様な形態で放電セルを区画可能である。また、図３には、前記放電セル２３０の横断面が四角形であると図示されているが、本発明がこれに限定されるものではなく、三角形、五角形などの多角形、または円形、楕円形などにより形成可能である。
【００３２】
前記第１隔壁２１２内には、前記第１放電セル２３１を取り囲むように第１放電電極２１３が配置される。前記第１隔壁２１２内に前記第１放電電極２１３を配置させるためには、例えば、図２の上側拡大図に図示されているように、前記第１基板２１１の背面２１１ｂ上に前記第１隔壁２１２の第１隔壁層２１２ａを形成し、前記第１隔壁層２１２ａ上に前記第１放電電極２１３を形成する。その後、前記第１放電電極２１３が覆われるように前記第１隔壁２１２の第２隔壁層２１２ｂを前記第１放電電極２１３上に形成する。前記第１隔壁層２１２ａ及び第２隔壁層２１２ｂは、Ｐｂ、Ｂ、Ｓｉ、Ａｌ及びＯのような元素を含むガラス成分で形成可能であり、必要な場合、ＺｒＯ２、ＴｉＯ２及びＡｌ２Ｏ３のようなフィラと、Ｃｒ、Ｃｕ、Ｃｏ、Ｆｅ、ＴｉＯ２のような顔料とが含まれる誘電体から形成され、かかる誘電体は、前記第１放電電極２１３にパルス電圧が印加される場合、荷電粒子を誘導して放電に参与する壁電荷を誘導し、前記第１放電電極２１３を保護する機能を果たす。
【００３３】
前記第１隔壁２１２を形成した後、前記第１隔壁２１２の少なくとも一側面２１２ｃ上に蒸着などの方法で第１保護膜２１５を形成することが望ましい。前記第１保護膜２１５は、放電時に前記第１放電電極２１３を保護し、二次電子を放出して放電を容易に起こさせる。一方、前記第１保護膜２１５の形成過程中に、前記第１基板の背面２１１ｂ及び前記第１隔壁の側面２１２ｃ上に、保護膜が形成されることもある。しかし、前記第１基板の背面２１１ｂ及び前記第１隔壁の側面２１２ｃ上に形成された保護膜が本発明に影響を及ぼすことはない。
【００３４】
前記第１隔壁２１２及び第１基板２１１により限定される前記第１放電セル２３１の内部に、さらに詳細には、前記第１隔壁２１２の少なくとも一側面２１２ｃと、前記第１隔壁２１２により表れる前記第１基板の背面２１１ｂの上に、前記第１蛍光体層２１４が塗布されうる。前記第１蛍光体層２１４は、カラー画像が具現されるように、赤色、緑色、青色発光の第１蛍光体層２１４Ｒ，２１４Ｇ，２１４Ｂを備え、カラー画像を具現できる単位画素を構成する第１放電セル２３１Ｒ，２３１Ｇ，２３１Ｂのそれぞれに、赤色、緑色及び青色発光の第１蛍光体層２１４Ｒ，２１４Ｇ，２１４Ｂがそれぞれ配置される。前記第１蛍光体層２１４は、前記第１隔壁２１２と同じレベルに配置されうるが、前記第１蛍光体層２１４は、前記第１隔壁２１２より低いレベルに、すなわち前記第１隔壁の背面２１２ｄのレベルより低く配置されることが望ましい。前記第１保護膜２１５を前記第１隔壁２１２の少なくとも２１２ｃ一側面には形成せず、前記第１蛍光体層２１４が前記第１隔壁２１２の少なくとも一側面２１２ｃに同じレベルに直ちに配置されうるが、その場合には、荷電粒子のイオンスパッタリングによる蛍光体層の劣化の恐れがあるために、前記のように、前記第１隔壁２１２より低いレベルに前記第１蛍光体層２１４を配置することが望ましい。
【００３５】
前記第１蛍光体層２１４は、赤色発光蛍光体、緑色発光蛍光体、青色発光蛍光体のうちいずれか１つの蛍光体、ソルベント及びバインダが混合された蛍光体ペーストが前記第１基板の背面２１１ｂと前記第１隔壁の少なくとも一側面２１２ｃとに塗布された後に乾燥及び焼成工程を経ることによって形成可能である。前記第１蛍光体層２１４として、赤色蛍光体層２１４Ｒは、Ｙ（Ｖ，Ｐ）Ｏ４：Ｅｕのような蛍光体を含み、緑色蛍光体層２１４Ｇは、Ｚｎ２ＳｉＯ４：Ｍｎのような蛍光体を含み、青色蛍光体層２１４Ｂは、ＢＡＭ：Ｅｕのような蛍光体を含むことができる。
【００３６】
前記誘電層２２７上に、前記第２基板２２１と共に前記第２放電セル２３２を限定するように、前記第２隔壁２２２が形成される。前記第２隔壁２２２が前記第２放電セル２３２を区画する形態は、前記第１隔壁２１２の場合と同一なので、これについての説明は省略する。前記第２隔壁２２２内には、前記第２放電セル２３２を取り囲むように第２放電電極２２３が配置される。前記第２隔壁２２２内に、前記第２放電電極２２３を配置させるためには、例えば、図２の下側拡大図に図示されているように、前記誘電層の上面２２７ａ上に、前記第２隔壁２２２の第１隔壁層２２２ａを形成し、前記第１隔壁層２２２ａ上に、前記第２放電電極２２３を形成する。その後、前記第２放電電極２２３が覆われるように、前記第２隔壁２２２の第２隔壁層２２２ｂを前記第２放電電極２２３上に形成する。前記第２隔壁２２２も、前記第１隔壁２１２のように、Ｐｂ、Ｂ、Ｓｉ、Ａｌ及びＯのような元素を含むガラス成分から形成され、必要な場合、ＺｒＯ２、ＴｉＯ２及びＡｌ２Ｏ３のようなフィラと、Ｃｒ、Ｃｕ、Ｃｏ、Ｆｅ、ＴｉＯ２のような顔料とが含まれる誘電体から形成され、かかる誘電体は、前記第２放電電極２２３にパルス電圧が印加される場合、荷電粒子を誘導して放電に参与する壁電荷を誘導し、前記第２放電電極２２３を保護する機能を果たす。
【００３７】
前記第２隔壁２２１及び第２基板２２１により限定される前記第２放電セル２３２の内部に、さらに詳細には、前記第２隔壁２２１の少なくとも一側面２２２ｃと前記第２隔壁２２２により表れる前記誘電層の前面２２７ａの上に、前記第２蛍光体層２２４が塗布されうる。前記第２蛍光体層２２４は、カラー画像が具現されるように、赤色、緑色、青色発光の第２蛍光体層２２４Ｒ，２２４Ｇ，２２４Ｂを備える。それら第２蛍光体層２２４Ｒ，２２４Ｇ，２２４Ｂは、前記第１蛍光体層２１４Ｒ，２１４Ｇ，２１４Ｂに対応するように配置され、それらの構成は、前記第１蛍光体層２１４と同一なので、それについての詳細な説明は省略する。
【００３８】
以下、本発明の望ましい実施形態によるＰＤＰ２００の放電現象について述べれば、次の通りである。
【００３９】
まず、外部の電源から前記アドレス電極２２６と第２放電電極２２３との間に、所定のアドレス電圧が印加されれば、発光される放電セル２３０が選択され、選択された放電セル２３０の内部では、前記第２放電電極２２３が前記放電セル２３０の下部を取り囲んでいるので、前記第２放電電極２２３に沿い、より詳細には、前記第２隔壁２２２の側面上に環状に壁電荷が蓄積される。
【００４０】
次に、前記第１放電電極２１３に＋電圧が印加され、前記第２放電電極２２３にこれより相対的に低い電圧が印加されれば、前記第１放電電極２１３と第２放電電極２２３との間に印加された電圧の差により、前記壁電荷が移動するようになる。前記壁電荷の移動時に、前記壁電荷は、前記放電セル２３０内の放電ガス原子と衝突しつつ放電を起こし、プラズマを生成し、かかる放電は、相対的に強い電界が形成される前記第１放電電極２１３と第２放電電極２２３とから互いに近い部分から発生する可能性が高くなる。
【００４１】
本実施形態の場合、図５に図示されているように、前記第１放電電極２１３と第２放電電極２２３とから互いに近い部分が前記放電セル２３０の内側面に沿って環状に形成されているので、従来のＤＣ型三電極面放電ＰＤＰ１００でのように、放電電極間の互いに近い部分が放電セルの上側にだけ形成されている場合に比べ、放電領域が広がって放電が発生する可能性が大幅に上昇する。
【００４２】
また、前記第１放電電極２１３と第２放電電極２２３との間の電圧が所定時間維持されれば、前記放電セル２３０の４個の側面に形成された電界が順次強く中央に集中することにより、放電が放電セル２３０全体に広がる。従来のＤＣ型三電極面放電ＰＤＰ１００での放電は、放電セル１２５の上側だけで発生して中央部に広がるが、本実施形態での放電は、放電セル２３０の４個の側面で環状に形成されていて中央部に広がるので、本実施形態での放電は、従来技術での放電に比べてその拡散範囲が大幅に拡大され、それにより発生するプラズマの量も増大して放電による紫外線発生量が増大し、ＰＤＰ２００の輝度が向上するだけではなく、同一輝度要求量で消費電力を低減できて電力消費効率を向上させられる。また、本実施形態での放電により発生するプラズマは、放電セル２３０の側面に沿って環状に形成されていて中央部に広がるので、その体積が大幅に増大して可視光線の量が大幅に増大し、プラズマが放電空間２２０の中央部に集中することにより、空間電荷を活用できて低電圧駆動が可能になり、発光効率が向上するという効果を得ることができる。また、プラズマが放電セル２３０の中央部に集中し、放電電極２１３，２２３による電界がプラズマの両側面方向に形成されるので、電荷が放電セル２３０の中央部に集中し、蛍光体層２１４，２２４へのイオンスパッタリングを基本的に防止できる。
【００４３】
いったん、かかる放電が形成された後に、第１放電電極２１３と第２放電電極２２３との間の電圧差が放電電圧より低くなれば、放電は、それ以上発生せず、空間電荷及び壁電荷が放電セル２３０に形成される。そのとき、第１放電電極２１３と第２放電電極２２３とに印加された電圧の極性をそれぞれ互いに変え、前記印加された電圧より低い電圧を印加すれば、壁電荷の助けで放電開始電圧に達するようになり、放電が再び発生する。そして、第１放電電極２１３と第２放電電極２２３の極性をさらに変えれば、最初の放電過程が反復される。かかる過程を反復しつつ、放電が安定的に発生して維持される。
【００４４】
しかし、本発明での放電方式は、必ずしもそれらに限定されるものではなく、本発明が属する技術分野で当業者が理解することができる範囲内で、多様な放電方式が可能である。
【００４５】
また、放電セル２３０を選択するためのアドレス放電においては、アドレス駆動時に要求される電圧を下げることが有利なので、電圧を下げるための方案として、アドレス電極と共通電極との間の距離を短縮させることが重要である。従来では、アドレス電極１２２とＹ電極１１３との間の距離は、隔壁の高さにより決定されていたが、アドレス放電の特性を向上させるために隔壁を低くすることは、蛍光体の塗布面積の縮小につながり、結局発光効率が低下してしまう。しかし、本実施形態では、維持及び共通電極の機能を果たす第２放電電極２２３が前記第２隔壁２２２内に配置され、隔壁高さを低めずにアドレス電極２２６と第２放電電極２２３との間の距離を短縮させることができるので、前記ＰＤＰ２００の低電圧及び高速駆動が可能である。
【００４６】
また、前記第１放電電極２１３は、前記第１隔壁２１２内に配置され、前記第２放電電極２２３は、前記第２隔壁２２２内に配置され、それら電極２１３，２２３が互いに分離されているので、電極間のショートが防止可能である。
【００４７】
また、本発明の望ましい実施形態によれば、前記第１隔壁２１２と、前記第１隔壁２１２により表れる前記第１基板の背面２１１ｂとにより限定される前記発光セルの前方部分２３１内に第１蛍光体層２１４Ｒ，２１４Ｇ，２１４Ｂが配置され、前記第２隔壁２２２と、前記第２隔壁２２２により表れる前記誘電層の前面２２７ａとにより限定される前記発光セルの後方部分２３２内に第２蛍光体層２２４Ｒ，２２４Ｇ，２２４Ｂが、前記第１蛍光体層２１４Ｒ，２１４Ｇ，２１４Ｂに対応するように配置されている。かように本発明の望ましい実施形態によるＰＤＰ２００は、蛍光体層が第１パネルの部分まで拡張されて塗布されている構造を採用しているので、前記蛍光体層２１４，２２４で発生する可視光の発光量を、従来に比べて大幅に増大させられ、それにより、輝度もまた大幅に上昇させられ、前記ＰＤＰ２００の発光効率を向上させられる。
【００４８】
本発明は、第１隔壁２１２に第１放電電極２１３が配置され、第２隔壁２２２に第２放電電極２２３が位置し、第１放電電極２１３と第２放電電極２２３とがそれぞれの隔壁に分離されて配置される構造に限定されるものではない。すなわち、第１隔壁２１２と第２隔壁２２２は、第１パネル２１０と第２パネル２２０とが組み立てられれば、結局１つの隔壁を形成するようになるので、組み立てられた状態で第１隔壁２１２と第２隔壁２２２は、結合されて同じ隔壁をなし、第１放電電極２１３と第２放電電極２２３は、同じ隔壁内で互いに離隔されて上下に配置されることもある。
【００４９】
一方、本発明の望ましい実施形態によるＰＤＰ２００では、アドレス放電のためにアドレス電極２２６を具備しているが、それらアドレス電極２２６なしにも本発明の望ましい実施形態によるＰＤＰの特徴的構造を有するＰＤＰを具現することも可能である。その場合には、第１放電電極２１３及び第２放電電極２２３が前記アドレス電極２２６の機能を代替し、アドレス電極２２６が配置されていないので、それらアドレス電極を覆う誘電層２２７も配置される必要はない。
【００５０】
アドレス電極２２６を具備していないＰＤＰについて簡略に説明する。かかる構造での放電電極では、一方向に延長し、第１放電セルを取り囲むように第１隔壁内に配置される第１放電電極と、この第１放電電極と交差するように延長され、第２放電セルを取り囲むように第２隔壁内に配置される第２放電電極とが採用される。その場合、放電セルで、交差するように配置されている第１放電電極と第２放電電極とに所定の電圧が印加されてアドレス放電が起き、前記放電により放電セルの内側面に沿って環状に所定の壁電荷が形成される。その後、本発明の望ましい実施形態で前述のように、第１放電電極２１３及び第２放電電極２２３との間に交互に所定の電圧が印加され、前記壁電荷の助けで維持放電が起き、かかる過程がＰＤＰの放電セルに特定的に、また反復的に発生し、所定の画像が具現可能である。
【００５１】
このように、アドレス電極２２６を具備していないＰＤＰは、その内部構造がさらに簡単なものとなりうる。また、放電セルの横断面が正方形になるマトリックス状の隔壁形態を想定する場合には、同じ構造を有するパネルを二枚準備し、それらパネルを互いに対向するように位置させた後、いずれか一方のパネルを９０゜ほど回転させて結合させれば、１つの完全なＰＤＰが得られるので、別個の二枚のパネルを製作する必要がなく、ＰＤＰの製造コストを大幅低減させることができる。
【００５２】
本発明は、図面に図示されている実施形態を参考に説明したが、それらは例示的なものに過ぎず、本技術分野の当業者ならば、それらから多様な変形及び均等な他の実施形態で応用可能であるという点が理解されるであろう。従って、本発明の真の技術的保護範囲は、特許請求の範囲の技術的思想によって決まるものである。
【産業上の利用可能性】
【００５３】
本発明は、放電空間が拡大されて可視光の発光面積が拡大され、低電圧駆動が可能であって輝度が上昇し、発光効率が改善された構造を有するＰＤＰに係り、当該ＰＤＰ関連の技術分野に効果的に適用可能である。
【図面の簡単な説明】
【００５４】
【図１】従来のＰＤＰを図示する部分断面斜視図である。
【図２】本発明の望ましい実施形態によるＰＤＰを図示する部分切開斜視図である。
【図３】図２のIII−III線に沿って切り取った断面図である。
【図４】本発明の望ましい実施形態によるＰＤＰの前方放電電極、後方放電電極、アドレス電極及び放電セルだけを図示した分離斜視図である。
【図５】本発明の望ましい実施形態によるＰＤＰでの１つの放電セルを図示する断面図である。
【符号の説明】
【００５５】
２００    ＰＤＰ、
２１０    第１パネル、
２１１    第１基板、
２１１ｂ    第１基板の背面、
２１２    第１隔壁、
２１２ａ    第１隔壁の第１隔壁層、
２１２ｂ    第１隔壁の第２隔壁層、
２１２ｃ    第１隔壁の一側面、
２１２ｄ    第１隔壁の背面、
２１３    第１放電電極、
２１４，２１４Ｂ，２１４Ｇ，２１４Ｒ      第１蛍光体層、
２１５    第１保護膜、
２２０    第２パネル、
２２１    第２基板、
２２２    第２隔壁、
２２２ａ    第２隔壁の第１隔壁層、
２２２ｂ    第２隔壁の第２隔壁層、
２２２ｃ    第２隔壁の一側面、
２２３      第２放電電極、
２２４，２２４Ｂ，２２４Ｇ，２２４Ｒ      第２蛍光体層、
２２５    第２保護膜、
２２６    アドレス電極、
２２７    誘電層、
２２７ａ    誘電層の底面、
２３０，２３０Ｂ，２３０Ｇ，２３０Ｒ      放電セル、
２３１，２３１Ｂ，２３１Ｇ，２３１Ｒ    第１放電セル、
２３２，２３２Ｂ，２３２Ｇ，２３２Ｒ    第２放電セル。
【図１】
2006164984.tif 000003
【図２】
2006164984.tif 000004
【図３】
2006164984.tif 000005
【図４】
2006164984.tif 000006
【図５】
2006164984.tif 000007